(57)【要約】【課題】簡易構造で組み付けが容易なダンパを用いて縦置き、横置きのいずれでも優れた振動減衰効果が得られるディスク駆動装置を提供する。【解決手段】ディスクを支持してモータ３により回転駆動されるターンテーブル５と、該ターンテーブル５で支持されたディスクの盤面に沿って移動可能とされるピックアップ４と、がベースシャーシ２に組み付けられる。ベースシャーシ２は、少なくともその周縁側４箇所がダンパ８にて支持され、その各支持点で囲まれる領域内にターンテーブル５が位置付けられる。ダンパ８は、支持ベース９側からベースシャーシ２の表面側に貫通され、ベースシャーシ２の表面側には、ダンパ８のそれぞれの外周部に対して互いに直交する２方向から接触する接触部（壁面部２１Ａ，２１Ａ）が形成される。【選択図】図８
2008165857.tif 000002
【特許請求の範囲】
【請求項１】
ディスクを支持してモータにより回転駆動されるターンテーブルと、このターンテーブルで支持されたディスクの盤面に沿って移動可能とされるピックアップとをベースシャーシに組み付け、そのベースシャーシを支持ベースに取り付けられるダンパで弾性支持したディスク駆動装置において、
前記ベースシャーシは、少なくともその周縁側４箇所が前記ダンパにて支持され、その各支持点で囲まれる領域内に前記ターンテーブルが位置すると共に、
前記ダンパは、前記支持ベース側から前記ベースシャーシの表面側に貫通され、
前記ベースシャーシは、前記ダンパのそれぞれの外周部に対して互いに直交する２方向から接触する接触部を有することを特徴とするディスク駆動装置。
【請求項２】
前記ダンパは、前記支持ベースと前記ベースシャーシとの間に挟まれる第１クッション部と、前記ベースシャーシの表面側にあって外周部が前記接触部に接触する第２クッション部とを有し、その両クッション部の間に環状溝が形成され、
前記第２クッション部と前記接触部との接触位置が、前記ターンテーブルと略同一平面内に設定されていることを特徴とする請求項１記載のディスク駆動装置。
【請求項３】
前記第２クッション部の外周に環状凸部が形成され、その環状凸部が前記接触部に接触することを特徴とする請求項２記載のディスク駆動装置。
【発明の詳細な説明】
【技術分野】
【０００１】
本発明は、光ディスクや光磁気ディスクといったディスク状情報記録媒体（ディスク）に楽曲情報などを記録したり、その記録情報を再生したりするのに用いられるディスク駆動装置に係わり、特にピックアップなどに伝播する振動を減衰させるのに有効な制振構造をもつディスク駆動装置に関する。
【背景技術】
【０００２】
ＣＤプレーヤ、ＤＶＤレコーダ、あるいはコンピュータなどに用いられるディスク駆動装置は、ディスクの中心部を支持するターンテーブル、そのターンテーブルを介してディスクを回転させるスピンドルモータ、及びディスクの記録情報を読み出したりディスクに情報を書き込んだりするピックアップなどを具備して構成される。
【０００３】
そして、係るディスク駆動装置によれば、ターンテーブルで支持されたディスクを回転させながら、ピックアップをディスクの盤面に沿ってその半径方向に移動させることにより、ディスクに情報を記録したり、その記録情報を読み出したりすることができる。
【０００４】
ここに、装置内におけるピックアップなどの駆動系に外部から振動が伝播すると、情報の記録再生に支障を来たすので、ディスク駆動装置には外部振動を減衰させる制振構造が必要不可欠であり、特に近年では高速再生などに対応した駆動系の高速駆動に伴う内部振動を良好に減衰させることも求められている。
【０００５】
一般にディスク駆動装置に用いられる制振構造は、ピックアップなどを組み付けたベースシャーシと装置内の支持ベースとの間に、ゴム質のダンパを介在させるというものであるが、その種の制振構造ではディスクの軸線が鉛直方向とされる「横置き」にして有効であるものの、ディスクの軸線が水平方向とされる「縦置き」の場合には十分な制振効果が得られない。
【０００６】
尚、ディスク駆動装置はコンピュータの外部あるいは内部の記憶装置としても多用されるが、コンピュータに内蔵されるディスク駆動装置は「縦置き」とされることが少なくないので、この場合には「横置き」を想定した従来型の制振構造では、その機能が十分に発揮されず、大きな振動が発生した場合、情報の記録再生に支障を来たすことが危惧されていた。
【０００７】
そこで、「縦置き」と「横置き」とに対応したディスクプレーヤのドライブシャーシ支持用ダンパが提案されている（例えば、特許文献１）。
【０００８】
その構造を図１４に示して説明すれば、Ｄはダンパで、このダンパＤは横置き用ダンパ部材Ｄ１と縦置き用ダンパ部材Ｄ２とを一体形成して構成される。このうち、横置き用ダンパ部材Ｄ１はゴムなどの弾性体から成る筒状のもので、その外周には小径部Ｄ１１が形成されている。一方、縦置き用ダンパ部材Ｄ２は、横置き用ダンパ部材Ｄ１の外周面中央部に一体形成された矩形状のダンパ本体Ｄ２１と、そのダンパ本体Ｄ２１から突出する突起状係合部Ｄ２２とから成り、ダンパ本体Ｄ２１には凹溝Ｄ２１ａが形成される。
【０００９】
そして、係るダンパＤは、ディスク支持用トレーＴの裏面に取り付けられ、ダンパ本体の凹溝Ｄ２１ａにドライブシャーシＳが係合し、そのドライブシャーシＳに形成した鍵穴状の凹部Ｓ１が横置き用ダンパ部材の小径部Ｄ１１に嵌合するようになっている。
【００１０】
【特許文献１】特許第３１８０８７６号公報
【発明の開示】
【発明が解決しようとする課題】
【００１１】
しかしながら、特許文献１のドライブシャーシ支持用ダンパは、形状が非常に複雑であるため、これを製作するための金型の費用が高くなり不経済である。又、横置き用ダンパ部材と縦置き用ダンパ部材の双方をトレーに係合させるので、その組み付けが煩雑で時間を要し、その上トレーにもダンパを取り付けるための２種類の取付部を形成しなければならないので装置全体としてコスト高になるという問題がある。
【００１２】
本発明は以上のような事情に鑑みて成されたものであり、その目的は簡易構造で組み付けが容易なダンパを用いて縦置き、横置きのいずれでも優れた振動減衰効果が得られるディスク駆動装置を提供することにある。
【課題を解決するための手段】
【００１３】
本発明は上記目的を達成するため、
ディスクを支持してモータ３により回転駆動されるターンテーブル５と、このターンテーブル５で支持されたディスクの盤面に沿って移動可能とされるピックアップ４とをベースシャーシ２に組み付け、そのベースシャーシ２を支持ベース９に取り付けられるダンパ８で弾性支持したディスク駆動装置において、
ベースシャーシ２は、少なくともその周縁側４箇所がダンパ８にて支持され、その各支持点で囲まれる領域内にターンテーブル５が位置すると共に、
ダンパ８は、支持ベース９側からベースシャーシ２の表面側に貫通され、
ベースシャーシ２は、ダンパ８のそれぞれの外周部に対して互いに直交する２方向から接触する接触部（壁面部２１Ａ，２１Ａ）を有することを特徴とする。
【００１４】
加えて、ダンパ８は、支持ベース９とベースシャーシ２との間に挟まれる第１クッション部８１と、ベースシャーシ２の表面側にあって外周部が接触部２１Ａ，２１Ａに接触する第２クッション部８２とを有し、その両クッション部８１，８２の間に環状溝８Ａが形成され、
第２クッション部８２と接触部２１Ａ，２１Ａとの接触位置が、ターンテーブル５と略同一平面内に設定されていることを特徴とする。
【００１５】
又、第２クッション部８２の外周に環状凸部８２Ａが形成され、その環状凸部８２Ａが接触部２１Ａ，２１Ａに接触することを特徴とする。
【発明の効果】
【００１６】
本発明によれば、ピックアップなどを組み付けたベースシャーシが少なくともその周縁側４箇所を支持ベースに取り付けたダンパで弾性支持されると共に、その各ダンパは支持ベース側からベースシャーシの表面側に貫通され、ベースシャーシがダンパのそれぞれの外周部に対して、互いに直交する２方向から接触する接触部を有していることから、縦置きと横置きのいずれでも高い振動減衰効果が発揮され、外部からの振動がベースシャーシに伝播したり、ベースシャーシから外部に振動が伝播したりすることを抑制できる。
【００１７】
又、ダンパはベースシャーシを貫通して該ベースシャーシの表面側に形成される接触部に接触されるだけなので、単純な形状とすることができ、その取り付けも容易に行うことができる。
【００１８】
特に、ダンパは、支持ベースとベースシャーシとの間に挟まれる第１クッション部と、ベースシャーシの表面側にあって外周部がベースシャーシの接触部に接触する第２クッション部とを有し、その両クッション部の間に環状溝が形成されるものであるから、その成型用金型の製作も容易である。
【００１９】
又、係るダンパによれば、第１クッション部によりベースシャーシの板厚方向に作用する振動荷重を支えながら、第２クッション部によりベースシャーシの板面方向に作用する振動荷重を支えることができる。
【００２０】
しかも、第２クッション部と接触部との接触位置が、ターンテーブルと略同一平面内に設定されていることから、そのターンテーブルで支持されるディスクの回転による振動を大幅に抑えることができる。
【００２１】
更に、第２クッション部の外周に環状凸部が形成され、その環状凸部が接触部に接触するようにしていることから、ダンパが接触部との接触圧で変形し難くなることを抑制し、所要の振動減衰効果を得るのに十分な弾力性を維持することができる。
【発明を実施するための最良の形態】
【００２２】
以下、図面に基づき本発明を詳しく説明する。図１は本発明に係るディスク駆動装置の主要な構造体を成すドライブユニットを示す。
【００２３】
このドライブユニット１は俗にトラバースメカと呼ばれるもので、ベースシャーシ２にスピンドルモータ３やピックアップ４などを組み付けて構成される。
【００２４】
ベースシャーシ２は、プレス加工などにより製作される定形（本例では矩形、詳しくは長方形状）の板材であり、その中央部分には所定の領域を切り抜いた開口部２Ａが形成され、その開口部２Ａの内側にスピンドルモータ３とピックアップ４が配置される。
【００２５】
スピンドルモータ３は、ＣＤやＤＶＤといったディスクを回転させるための制御モータであり、そのロータ軸にはターンテーブル５が固設され、そのターンテーブル５が図示せぬディスクの中心部を支持した状態でディスクの回転が行われるようになっている。
【００２６】
又、ピックアップ４は、ターンテーブル５により支持されたディスクの盤面に沿ってその半径方向に移動しながら、ディスクの記録情報を読み出したり情報の書き込みを行ったりするための電子部品ユニットであり、これは金属板などから成る走行台４Ａに、対物レンズ４Ｂや、その対物レンズ４Ｂを通してディスクの盤面に照射すべき光を発生する図示せぬレーザダイオードなどの発光素子、及びディスクからの反射光を受け取る受光素子などを装置して構成される。
【００２７】
特に、ベースシャーシ２の開口部２Ａの両側には、ピックアップ４の移動案内をする左右一対のガイド軸６が取り付けられ、その両ガイド軸６によりピックアップ４がディスクの半径方向に対して移動可能に支持されている。
【００２８】
尚、図１において、７はピックアップ４をガイド軸６に沿ってディスクの半径方向に移動させるための駆動力を発生するスレッドモータであり、このスレッドモータ７は一方のガイド軸６に近接してベースシャーシ２に固設される。
【００２９】
そして、本発明に係るディスク駆動装置は、例えばディスク記録再生装置などの筐体に内蔵して構成され、その筐体内にディスクが挿入されたとき、該ディスクの中心部がターンテーブル５と図示せぬクランプ盤とによりクランプされ、その後、スピンドルモータ３の起動によりディスクが回転され、しかしてピックアップ４がディスクの半径方向に移動しながら情報の読み出しや書き込みを行うようになっている。
【００３０】
又、図１において、８はベースシャーシ２の周縁側４箇所（４隅）に取り付けたゴム質のダンパであり、それらダンパ８によるベースシャーシ２の各支持点で囲まれる領域内にターンテーブル５およびピックアップ４が位置するようになっている。
【００３１】
特に、ベースシャーシ２にはその周縁全体をターンテーブルが現れる表面側に曲げ起こした凸条２１が形成される。凸条２１は４つの壁面部２１Ａを有する矩形の枠状であり、その内側角部分でダンパ８のそれぞれの外周部に対し、互いに直交する２つの壁面部２１Ａ，２１Ａが接触するようになっている。つまり、ダンパ８のそれぞれの外周部に対し、２つの壁面部２１Ａ，２１Ａが接触部として直交する２方向（特にベースシャーシ２が長方形状の場合、その長辺方向および短辺方向）から接触される。
【００３２】
図２はベースシャーシ２を示した斜視図であり、図３にはベースシャーシ２にピックアップ４などを組み付けて成るドライブユニット１の平面図を示す。
【００３３】
図２から明らかなように、ベースシャーシ２には、２つの壁面部２１Ａ，２１Ａが直角に交わる角部近傍において貫通孔２Ｂが形成されている。そして、その各貫通孔２Ｂの位置にそれぞれ上記ダンパ８が嵌合され、それらダンパ８の外周部が、図３のように直交する壁面部２１Ａ，２１Ａの内角側で両壁面部２１Ａ，２１Ａにそれぞれ接触するようになっている。なお、図３において、丸印はダンパ８と壁面部２１Ａとの接触部分を示している。
【００３４】
図４はダンパ８を示した斜視図、図５は同ダンパ８の側面図であり、図６には図５のＸ−Ｘ断面を示す。
【００３５】
これらの図で明らかなように、係るダンパ８は偏平で薄肉の円筒形であり、その外周には高さ方向中央部にて環状溝８Ａが形成される。そして、その環状溝８Ａを挟んで円盤状の第１クッション部８１と第２クッション部８２が連なる構成とされる。又、ダンパ８の中心部には第１クッション部８１から第２クッション部８２に亘って円形の取付孔８Ｂが形成されている。尚、係るダンパ８は、振動減衰効果の高い軟質なゴム材から形成されるが、第１クッション部８１と第２クッション部８２の内部に形成される空洞８Ｃは空気バネとしても機能する。
【００３６】
図７は、ダンパ８にてベースシャーシ２を支持した部分拡大図である。図７において、９は図示せぬ回路基板などを固定するための下部構造を成す支持ベースであり、この支持ベース９にはネジ孔を穿設した突起９Ａが形成される。
【００３７】
ここで、ダンパ８は、第１クッション部８１を支持ベース９上に着座せしめて取付孔８Ｂを突起９Ａに嵌合させると共に、第２クッション部８２側から取付孔８Ｂを通じて突起９Ａのネジ孔に固定ネジ１０をねじ込むことにより固定される。又、ダンパ８は第１クッション部８１か第２クッション部８２のいずれかを押し潰してベースシャーシ２の貫通孔２Ｂに押し込むことにより、ベースシャーシ２に貫通される。これにより、ベースシャーシ２の貫通孔２Ｂの周縁がダンパ８の環状溝８Ａに嵌まり込み、第１クッション部８１と第２クッション部８２でベースシャーシ２が挟み込まれる。
【００３８】
そして、第１クッション部８１が、支持ベース９とベースシャーシ２との間に介在してベースシャーシ２の裏面側を厚さ方向から支持する一方、第２クッション部８２が、ベースシャーシ２の表面側にあって、その外周２箇所が弾性変形した状態で直交する２つの壁面部２１Ａ，２１Ａ（図７では一方の壁面部２１Ａのみ示される）に接触し、ベースシャーシ２をこれに平行する方向から支持するようになっている。
【００３９】
つまり、第１クッション部８１は、ディスク駆動装置の「横置き」に際してドライブユニット１を板厚方向から支え、ドライブユニット１によるディスクの回転駆動時に発生する内部振動成分が外部に伝播するのを防止しながら、外部振動成分がドライブユニット１に伝播するのを防止する。一方、第２クッション部８２は、ディスク駆動装置の「縦置き」に際して、ドライブユニット１を板面方向から支え、ドライブユニット１によるディスクの回転駆動時に発生する内部振動成分が外部に伝播するのを防止しながら、外部振動成分がドライブユニット１に伝播するのを防止する。
【００４０】
尚、「縦置き」と「横置き」のいずれの場合でも、ディスク回転駆動時の振動は、その周囲に伝播するが、本発明によれば、ターンテーブル５を囲む状態に配置される４つのダンパ８のそれぞれが、ベースシャーシ２に形成した凸条２１の直交する２つの壁面２１Ａ，２１Ａ（接触部）に接触してベースシャーシ２を直交する２箇所で支えることから、ディスク回転駆動時の振動による荷重を第２クッション部８２で効率よく受けることができ、一つのダンパ８で荷重を支えるようなアンバランスが発生し難く、振動を効果的に減衰することができる。
【００４１】
図８はドライブユニット１の側面図であり、図９には上記凸条２１を省略して示しているが、本発明に係るディスク駆動装置では、図９から明らかなように第２クッション部８２と壁面部２１Ａとの接触位置（丸印で示される位置）がターンテーブル５と略同一平面内に設定される。これは、ドライブユニット１の重心位置に対して第２クッション部８２の接触位置が近いほど振動抑制効果が高くなることによるもので、これによればディスクの回転による図９の矢印Ａ方向の振動を大幅に抑制できるほか、矢印Ｂ方向の揺れも抑えることができる。
【００４２】
以上、本発明の構成例を説明したが、振動を効果的に抑制する点では、ダンパ８は図１０のように第２クッション部８２の外周に環状凸部８２Ａが形成されるものであることが好ましい。つまり、横置きに際しては、ベースシャーシ２の板厚方向（ディスクの回転軸方向）の振動荷重を第１クッション部８１で支えるが、凸条２１に対する第２クッション部８２の接触面積が大きくなると、その相互間の摩擦力によりダンパ８の適度な弾性変形が損なわれ、これによる振動減衰性能が損なわれるからである。この点、図１０に示されるようなダンパ８によれば、図１１のように第２クッション部８２の環状凸部８２Ａが２つの壁面部２１Ａ，２１Ａに接触することにより、凸条２１に対する第２クッション部８２の接触面積を小さくして、その相互間の摩擦力を減ずることができるので、横置きに際してダンパ８の適度な弾性変形が損なわれず、ベースシャーシ２の板厚方向（ディスクの回転軸方向）の振動荷重を第１クッション部８１で適切に支えることができる。
【００４３】
ここで、接触部を成す壁面部２１Ａは、それぞれが連続する枠状とされることに限らず、２つの壁面部２１Ａから成るＬ形の凸条２１を各ダンパ８の支持位置にそれぞれ独立状態に形成するようにしてもよい。又、図１２のように２つの壁面部２１Ａ，２１Ａが交わらなくてもよい。更に、図１３のように、２つの壁面部２１Ａ，２１Ａが円弧状壁面部２１Ｂにより連ねられ、２つの壁面部２１Ａ，２１Ａが互いに直交する２方向（ベースシャーシ２の長辺方向および短辺方向）からダンパ８の第２クッション部８２に接触するほか、その第２クッション部８２の外周部に対して円弧状壁面部２１Ｂが全面的に接触するようにしてもよい。
【図面の簡単な説明】
【００４４】
【図１】本発明に係るディスク駆動装置を構成するドライブユニットの斜視図
【図２】ドライブユニットを構成するベースシャーシの斜視図
【図３】ドライブユニットの平面図
【図４】本発明に係るダンパの斜視図
【図５】同ダンパの側面図
【図６】図５におけるＸ−Ｘ断面図
【図７】同ダンパによりベースシャーシを支持した状態を示す部分拡大断面図
【図８】ドライブユニットの側面図
【図９】ベースシャーシに形成される接触部を省略して示した説明図
【図１０】ダンパの変更例を示す斜視図
【図１１】図１０に示したダンパが接触部に接触している状態を示す説明図
【図１２】接触部の変更例を示す説明図
【図１３】接触部の変更例を示す説明図
【図１４】従来例を示す構成図
【符号の説明】
【００４５】
１  ドライブユニット
２  ベースシャーシ
２Ｂ  貫通孔
２１  凸条
２１Ａ  壁面部（接触部）
３  スピンドルモータ
４  ピックアップ
５  ターンテーブル
８  ダンパ
８Ａ  環状溝
８Ｂ  取付孔
８Ｃ  空洞
８１  第１クッション部
８２  第２クッション部
８２Ａ  環状凸部
９  支持ベース
９Ａ  突起
【図１】
2008165857.tif 000003
【図２】
2008165857.tif 000004
【図３】
2008165857.tif 000005
【図４】
2008165857.tif 000006
【図５】
2008165857.tif 000007
【図６】
2008165857.tif 000008
【図７】
2008165857.tif 000009
【図８】
2008165857.tif 000010
【図９】
2008165857.tif 000011
【図１０】
2008165857.tif 000012
【図１１】
2008165857.tif 000013
【図１２】
2008165857.tif 000014
【図１３】
2008165857.tif 000015
【図１４】
2008165857.tif 000016